(57)【要約】      （修正有）【課題】簡単な操作で名刺・ハガキ・封筒等の印刷物をその場で作成できる、インターネット印刷物作成システムを提供する。【解決手段】インターネット印刷物作成システム１は、店舗内に設けたＢＯＸ２ａ内に、本部と連絡する専用携帯端末器３と、情報を発信及び受信するコンピュータ４と、手持ちの印刷物をスキャンするスキャナー５と、仕上がった印刷物をプリントするプリンター６と、仕上がった印刷物を必要な大きさにカットするカッティング装置７と、から構成される。【選択図】図１
2019102038.tif 000002
【特許請求の範囲】
【請求項１】
店舗内外に設けたＢＯＸ内に、本部と連絡する専用携帯端末器と、情報を発信及び受信するコンピュータと、手持ちの印刷物をスキャンするスキャナーと、仕上がった印刷物をプリントするプリンターと、仕上がった印刷物を必要な大きさにカットするカッティング装置とからなることを特徴とするインターネット印刷物作成システム。
【請求項２】
前記本部は、前記専用携帯端末器と交信する同様な専用携帯端末器と、前記コンピュータからの情報を受信し、加工するためのメインコンピュータと、モニターとからなることを特徴とする請求項１記載のインターネット印刷物作成システム。
【請求項３】
前記印刷物が名刺・ハガキ・封筒であることを特徴とする請求項１又は２記載のインターネット印刷物作成システム。
【請求項４】
前記印刷物を６０分以内で仕上げ、手元に届けることを特徴とする請求項１、２又は３記載のインターネット印刷物作成システム。
【発明の詳細な説明】
【技術分野】
【０００１】  本発明は、特に印刷屋さんの少ない遠隔地の店舗内外に付設して名刺等の印刷をインターネットを通じてその場でお客様に提供できるインターネット印刷物作成システムに関するものである。
【背景技術】
【０００２】  従来の技術として、インターネット上のサーバーと、インターネットを通じて該サーバーにアクセスする機能を有する携帯型情報端末機器と、該携帯型情報端末機器に繋がるプリンタとを有し、該携帯型情報端末機器から入力される氏名等のデータから、該サーバーの名刺ソフトによりレイアウトされた名刺データを作成し、該名刺データを該携帯型情報端末機器にダウンロードしてから該プリンタに転送し、該プリンタで紙上に印刷するものがある。（特許文献１参照）
【先行技術文献】
【特許文献】
【０００３】
【特許文献１】特開２００６−２８５３３１号公報
【発明の概要】
【発明が解決しようとする課題】
【０００４】  上記の名刺、手紙の作成システムでは、自分で携帯型情報端末機器（ノートパソコンも含む）を持っていなければならず、また、プリンターも必要で、特に名刺等をプリントアウトする場合、専用の用紙を準備したり、必要に応じてカットしなければならず、非常に手間で、支払いのトラブルも発生しやすい。かつ、操作が面倒である。【０００５】  本発明は、このような従来の構成が有していた問題を解決しようとするもので、印刷屋さんの少ない地域の店舗内に上記構成をキット化したシステムを付設し、買い物等の便に手ぶらで、かつ、簡単な操作で名刺・ハガキ・封筒等の印刷物を６０分以内に本部で作成し、その場で出来上がることを目的とするインターネット印刷物作成システムを提供するものである。
【課題を解決するための手段】
【０００６】  本発明は、上記目的を達成するために、店舗内に設けたＢＯＸ内に、本部と連絡する専用携帯端末器と、情報を発信及び受信するコンピュータと、手持ちの印刷物をスキャンするスキャナーと、仕上がった印刷物をプリントするプリンターと、仕上がった印刷物を必要な大きさにカットするカッティング装置とからなること。前記本部は、前記専用携帯端末器と交信する同様な専用携帯端末器と、前記コンピュータからの情報を受信し、加工するためのメインコンピュータと、モニターとからなること。前記印刷物が名刺・ハガキ・封筒であること。前記印刷物を６０分以内で仕上げ、遠隔操作でモニターを見ながら本部にて作成し、手元に届けることを特徴とする。
【発明の効果】
【０００７】１）、店舗内外に設けた小ペースのＢＯＸ内に、専用携帯端末器とコンピュータと、スキ      ャナーとプリンターとカッティング装置とからなるキットにより、手ぶらで簡単に      名刺等の印刷物がその場で出来上がり、既日持ち帰りができる。
２）、現在有している封筒や名刺とほぼ同じ物を作るのであれば、その場でスキャナーに      てデータを本部に送れば、その場で出来上がる。
変更等も、もちろん可能。
３）、新しく作る場合は、モニターに表示されているサンプルレイアウトに必要項目を入      力し（書面の必要項目に記入しスキャナーで送付も可能）、専用携帯端末器で本部      とのやり取りを行い最終的に仕上がったものが、その場でプリンターにてプリント      アウトされる。
４）、カッティング装置により、特に名刺やハガキ等はその場でカットされ持ち帰ること      ができる。
５）、支払いは、店の方に払えばよく、例えばガソリンスタンドに付設した場合、洗車や      給油等の時間（６０分位）に印刷物ができ、店としても新規の客を獲得でき、売り      上げが上がり、新しいビジネスモデルとして期待される。
【図面の簡単な説明】
【０００８】
【図１】  本発明の一実施例を示すインターネット印刷物作成システムの構成図。
【図２】  本発明の一実施例を示すインターネット印刷物作成システムのフローチャート図。
【発明を実施するための形態】
【０００９】  １は、インターネット印刷物作成システムである。
２は、店舗内外に設置するシステムで、ＢＯＸ２ａ内に本部と連絡する携帯電話による専用携帯端末器３と、情報を発信及び受信するモニター４ａとセットのコンピュータ（サーバー）４と、手持ちの印刷物をスキャンするスキャナー５と、仕上がった印刷物をプリントするプリンター６と、仕上がった印刷物を必要な大きさにカットするカッティング装置７とからなる。
８は本部に設置している構成で、専用携帯端末器３と交信する同様の専用携帯端末器９と、コンピュータ（サーバー）４から送信される情報（データ）を加工処理し、コンピュータ（サーバー）４に送信するモニター１１を設けたメインコンピュータ（メインサーバー）１０とからなる。
【００１０】  上記インターネット印刷物作成システム１の流れについて説明する。
店舗（例えば、ガソリンスタンド内）に、ＢＯＸ２ａ内に専用携帯端末器３と、コンピュータ（サーバー）４と、スキャナー５と、プリンター６とカッティング装置７を設置する。
この状態で、例えば、ガソリンを注ぎに来たお客様が洗車等の待ち時間に、同時に名刺を作ろうと思い、ＢＯＸ２ａ内の専用携帯端末器３にて本部へ電話をし、本部の担当者が同じく専用携帯端末器９で受けて、スタートする。（ａ）
まず、お客様にパソコン４を立ち上げるよう指示し（必要に応じて常に立ち上げておく）、モニター４ａの画面上のフォーマットに入力する。（ｂ・ｃ）
例えば、名刺・ハガキ・封筒の選定、郵便番号・住所・名称・名前・ＴＥＬ・ＦＡＸ・Ｅ−ｍａｉｌ・ＭＯＢＩＬＥ・ウェブ・用紙種類・レイアウト・マーク（デザイン）・刷り色・表面・裏面・枚数等の必要事項を入力する。
また、すでにイメージした名刺があれば、その名刺をスキャナー５にて送信すればよい。
さらに、現在使用している名刺や封筒等があり、これをそのまま印刷したり、多少の変更の場合はスキャナー５にてデータを送信する。なお、パソコンが苦手な方は、記入用紙（書面）に必要事項を書きスキャナー５にて送る。（ｄ）
送信された各種データはメインコンピュータ（メインサーバー）１０内にて処理するが、専用携帯端末器３・９でモニター４ａ・１１を見ながら仕上げていく。（ｅ・ｆ）
基本的には、ベースはおまかせで、本部で作成し、ベースをモニター４ａ・１１で見ながらお客様とチェックし、仕上げる。
【００１１】  問題なければ、発注（タッチパネルあるいはキーボ−ドにより）する。（ｇ）
その後、プリンター６にて出力される。
この時、名刺の場合、ＢＯＸ２ａ内にあるシートを必要枚数プリンター６にセット（自分か店員の方）する。
また、封筒やチラシ（Ａ４紙）等の場合も同様にセットする。（ｈ）
なお、名刺やハガキの場合は、カットして頂く場合があり、その時はカッティング装置７にてカット（自分か店員の方）する。（ｉ）
これで完成（６０分以内）となり、店舗の方に支払いして頂くものである。（ｊ・ｋ）
【００１２】  上記実施例において、店舗とは代理店であり、ガソリンスタンドに限定せず、コンビニエンスストアや不動産店舗等、色々考えられ、特に印刷業の方が少ない地域の店舗に有効である。
【符号の説明】
【００１３】１―――インターネット印刷物作成システム
２―――店舗内外に設置するシステム
３―――専用携帯端末器
４―――コンピュータ（サーバー）
５―――スキャナー
６―――プリンター
７―――カッティング装置
８―――本部に設置してる構成
９―――専用携帯端末器
１０――メインコンピュータ（メインサーバー）
１１――モニター
【図１】
2019102038.tif 000003
【図２】
2019102038.tif 000004